(57)【要約】      （修正有）【課題】停電からの復電時あるいは負荷の負荷機器を接続したときに負荷機器の電源がＯＮであることを検出したときは，主回路接点を切にして負荷に給電しないようにした装置において，負荷機器がサイリスタ制御のような電子制御機能付きでノイズ防止コンデンサが電源スイッチより電源側の電線間に取り付いており，負荷機器の電源スイッチがＯＦＦであるにも関わらず，該ノイズ防止コンデンサに電流が流れるような機器でも，電源スイッチがＯＦＦである場合には給電して，その後に電源スイッチをＯＮにすれば負荷機器を使用できるようにする。【解決手段】負荷機器のＯＮ／ＯＦＦ検出手段は，前記の主回路を開閉する接点に対して並列に接続されたインピーダンスを介して流れる電流を検出し，該電流の大きさが所定の閾値より大きい場合に負荷機器がＯＮであると判定する。【選択図】図１
2011019318.tif 000002
【特許請求の範囲】
【請求項１】
主回路を開閉する主接点と，該主接点に対して並列に接続され，主接点が開のときに負荷回路に直列に挿入されるインピーダンスと，負荷機器のＯＮ／ＯＦＦ検出手段とを備え，電源側の電源が供給されたときに，該負荷機器のＯＮ／ＯＦＦ検出手段が負荷機器のＯＮを検出しなければ主接点を閉にするシーケンスを備えている電源供給装置において，前記負荷機器のＯＮ／ＯＦＦ検出手段は，前記の主回路を開閉する接点に対して並列に接続されたインピーダンスを介して流れる電流を検出し，該電流の大きさが所定の閾値より小さい場合に負荷機器がＯＦＦであると判定するものであることを特徴とする電源供給装置。
【請求項２】
主回路を開閉する主接点と，該主接点に対して並列に接続され，主接点が開のときに負荷回路に直列に挿入されるインピーダンスと，負荷機器のＯＮ／ＯＦＦ検出手段とを備え，電源側の電源が供給されたときに，該負荷機器のＯＮ／ＯＦＦ検出手段が負荷機器のＯＮを検出しなければ主接点を閉にするシーケンスを備えている電源供給装置において，前記負荷機器のＯＮ／ＯＦＦ検出手段は，前記のインピーダンスの負荷側の電圧を検出し，該電圧の大きさが所定の閾値より大きい場合に負荷機器がＯＦＦであると判定するものであることを特徴とする電源供給装置。
【請求項３】
主回路を開閉する主接点と，該主接点に対して並列に接続され，主接点が開のときに負荷回路に直列に挿入されるインピーダンスと，負荷機器のＯＮ／ＯＦＦ検出手段とを備え，電源側の電源が供給されたときに，該負荷機器のＯＮ／ＯＦＦ検出手段が負荷機器のＯＮを検出しなければ主接点を閉にするシーケンスを備えている電源供給装置において，前記負荷機器のＯＮ／ＯＦＦ検出手段は，前記の主接点に対して並列に接続されたインピーダンスを介して流れる電流と，該インピーダンスの負荷側の電圧を検出するものであって，検出した電流の大きさが所定の閾値より小さく，検出した電圧との位相差が９０度である場合に負荷機器がＯＦＦであると判定するものであることを特徴とする請求項１の電源供給装置。
【請求項４】
主回路を開閉する主接点と，該主接点に対して並列に接続され，主接点が開のときに負荷回路に直列に挿入されるインピーダンスと，負荷機器のＯＮ／ＯＦＦ検出手段とを備え，電源側の電源が供給されたときに，該負荷機器のＯＮ／ＯＦＦ検出手段が負荷機器のＯＮを検出しなければ主接点を閉にするシーケンスを備えている電源供給装置において，前記負荷機器のＯＮ／ＯＦＦ検出手段は，前記の主接点に対して並列に接続されたインピーダンスの負荷側の消費する電力値が零であるか，所定の閾値より小さい場合に負荷機器がＯＦＦであると判定するものであることを特徴とする電源供給装置。
【請求項５】
前記インピーダンスは，コンデンサであることを特徴とする請求項１乃至請求項４の内何れか１項に記載の電源供給装置。
【請求項６】
主回路を開閉する主接点と，該主接点に対して並列に接続され，主接点が開のときに負荷回路に直列に挿入されるコンデンサと，負荷機器のＯＮ／ＯＦＦ検出手段とを備え，電源側の電源が供給されたときに，該負荷機器のＯＮ／ＯＦＦ検出手段が負荷機器のＯＮを検出しなければ主接点を閉にするシーケンスを備えている電源供給装置において，前記負荷機器のＯＮ／ＯＦＦ検出手段は，前記の主接点に対して並列に接続されたコンデンサを介して流れる電流と，該コンデンサの電源側の電圧を検出するものであって，検出した電流の大きさが所定の閾値より小さく，検出した電圧との位相差が９０度である場合に負荷機器がＯＦＦであると判定するものであることを特徴とする請求項３の電源供給装置。
【請求項７】
主回路を開閉する主接点と，該主接点に対して並列に接続され，主接点が開のときに負荷回路に直列に挿入されるコンデンサと，負荷機器のＯＮ／ＯＦＦ検出手段とを備え，電源側の電源が供給されたときに，該負荷機器のＯＮ／ＯＦＦ検出手段が負荷機器のＯＮを検出しなければ主接点を閉にするシーケンスを備えている電源供給装置において，前記負荷機器のＯＮ／ＯＦＦ検出手段は，前記の主接点に対して並列に接続されたコンデンサの電源側の消費する電力値が零であるか，所定の閾値より小さい場合に負荷機器がＯＦＦであると判定するものであることを特徴とする電源供給装置。
【請求項８】
主回路を開閉する主接点と，該主接点に対して並列に接続され，主接点が開のときに負荷回路に直列に挿入されるコンデンサと，負荷機器のＯＮ／ＯＦＦ検出手段とを備え，電源側の電源が供給されたときに，該負荷機器のＯＮ／ＯＦＦ検出手段が負荷機器のＯＮを検出しなければ主接点を閉にするシーケンスを備えている電源供給装置において，前記負荷機器のＯＮ／ＯＦＦ検出手段は，前記の主接点に対して並列に接続されたコンデンサの両端の電圧Ａと，コンデンサの負荷側の電圧Ｂと，コンデンサの電源側の電圧Ｃから，各電圧のスカラー量で電圧Ａ+電圧Ｂ＝電圧Ｃの関係が成り立つとき負荷機器がＯＦＦであると判定するものであることを特徴とする電源供給装置。
【請求項９】
前記ＯＮ／ＯＦＦ検出手段とともに，負荷の電源線が接続されているかどうかの検出手段を備え，該負荷の電源線が接続されているかどうかの検出手段が接続を検出しているときに，前記負荷機器のＯＮ／ＯＦＦ検出手段が負荷機器のＯＮを検出しなければ主接点を閉にするシーケンスを備えていることを特徴とする請求項１乃至請求項８の内何れか１項に記載の電源供給装置。
【発明の詳細な説明】
【技術分野】
【０００１】
本発明は，電動工具のような電気機械器具等の電源を供給するための装置であって，負荷と電源の間に接続して用いる装置に関する。
【背景技術】
【０００２】
電動工具には，ドリルやグラインダー，ノコ，カンナなど電動で刃先が動くものが多く，刃先を安全カバーで覆うなど工具自体で安全性に配慮してある。しかし電動工具は可搬型である場合が多く，使用中に該電動工具の電源線が引っ張られるなどして電源プラグがコンセントから抜けてしまい動作が停止することや，電動工具の消費電流の関係で電源を供給する分電盤内の遮断器が動作することにより電源供給が止まり動作が停止することがある。その際は工具自体の電源スイッチを一旦切りにしたうえで，コンセントに差しなおしたり遮断器を投入することが電動工具の使用安全上好ましいが，あわてて電動工具の電源スイッチを入れたまま，コンセントにプラグを差しなおしたり，遮断器を投入してしまうことがある。
【０００３】
このような場合，作業者の注意は工具そのものから電源プラグや遮断器の操作に移っており，電源プラグの差しなおしや遮断器の投入により，再度電源が供給されて再び電動工具が動き出したときの安全性には注意が払われておらず，いきなり工具が動き出すことにより身体や器物が損傷するおそれがあって非常に危険である。
【０００４】
このような危険性を回避するため，特許文献１のようなものが公知である。特許文献１に示す装置は，装置より電源側で停電となり復電した直後の所定時間内に電路の電流を検出した場合には電路を遮断するようにしたものである。しかしながら，特許文献１に示す装置は，装置より電源側が復電した直後の所定時間内に電路電流を検知した場合に電路を遮断するものであるから，装置より負荷側で電動工具と装置の電源接続が外れた場合は考慮されていない。より具体的には，特許文献１の装置はコードリールに組み込んで使用することを想定しているが，コードリールに設けられたコンセントと電動工具のプラグが外れた場合は考慮されていない。
【０００５】
そこで，出願人は特許文献２のような発明を行った。特許文献２は，電気機械器具等の負荷の電源線を接続して電源を供給するための装置であって，主回路の導体と，主回路を開閉する接点手段と，主回路を開閉する接点に対して並列にインピーダンスを介して負荷側に電源を供給する手段と，該インピーダンスを通じて流れる電流の検出手段と，負荷の電源線が接続されているかどうかの検出手段とを備え，前記電流の検出手段が電流を検出せず，前記負荷の電源線が接続されているかどうかの検出手段が接続を検出しているときに主回路の接点を入にするシーケンスを備えていることを特徴とする電気機械器具等の電源供給装置である。ここで，前述の電流の検出手段は，負荷機器の電源スイッチがＯＮであるか，ＯＦＦであるかを，電流の有無により検出している。特許文献２によれば，装置より電源側で停電し，その後復電した場合のみならず，電動工具のプラグがコンセントから外れて再接続された場合も考慮されている。
【０００６】
しかしながら，近年電動工具などで，サイリスタやインバータ制御などを電動工具本体に備え，電動機の回転数などを制御するものが現れており，そのようなものでは電源スイッチのＯＮ，ＯＦＦに関わらず，電源線間にノイズ防止用のコンデンサが接続されている例がある。このような電動工具を前述の特許文献２の電源供給装置で使用した場合，電源スイッチをＯＦＦにしている場合でも該コンデンサには電流が流れるので，その電流を検出した場合，電動工具のスイッチがＯＮであると判定し主回路接点を開いてしまい，電動工具の起動スイッチはＯＦＦであるにも関わらず，電動工具に電源を供給できない場合が想定される。
【先行技術文献】
【特許文献】
【０００７】
【特許文献１】特開２００６−１５６１０３。
【特許文献２】特願２００９−０９７９２０
【発明の概要】
【発明が解決しようとする課題】
【０００８】
そこで本件発明は，主回路の導体と，主回路を開閉する接点手段と，主回路を開閉する接点に対して並列に接続されたインピーダンスを介して負荷側に電源を供給する手段と，負荷機器のＯＮ／ＯＦＦ検出手段と，負荷の電源線が接続されているかどうかの検出手段とを備え，前記負荷機器のＯＮ／ＯＦＦ検出手段が負荷機器のＯＮを検出せず，前記負荷の電源線が接続されているかどうかの検出手段が接続を検出しているときに主回路の接点を入にするシーケンスを備えている電源供給装置において，負荷の負荷機器がサイリスタ制御のような電子制御機能付きでノイズ防止コンデンサが電源スイッチより電源側の電線間に取り付いており，負荷機器の電源スイッチがＯＦＦであるにも関わらず，該ノイズ防止コンデンサに電流が流れるような機器でも，電源スイッチのＯＮ，ＯＦＦを正確に検出して，電源スイッチがＯＦＦである場合には給電して，その後に電源スイッチをＯＮにすれば負荷機器を使用できるようにすることを課題としている。
【課題を解決するための手段】
【０００９】
本発明における電源供給装置は，上述の課題を解決すべく構成されたもので，
主回路を開閉する主接点と，該主接点に対して並列に接続され，主接点が開のときに負荷回路に直列に挿入されるインピーダンスと，負荷機器のＯＮ／ＯＦＦ検出手段とを備え，電源側の電源が供給されたときに，該負荷機器のＯＮ／ＯＦＦ検出手段が負荷機器のＯＮを検出しなければ主接点を閉にするシーケンスを備えている電源供給装置において，
前記負荷機器のＯＮ／ＯＦＦ検出手段は，前記の主回路を開閉する接点に対して並列に接続されたインピーダンスを介して流れる電流を検出し，該電流の大きさが所定の閾値より小さい場合に負荷機器がＯＦＦであると判定するものであることを特徴とする電源供給装置を提供したものである。
【００１０】
また，本発明にかかる電源供給装置は，主回路を開閉する主接点と，該主接点に対して並列に接続され，主接点が開のときに負荷回路に直列に挿入されるインピーダンスと，負荷機器のＯＮ／ＯＦＦ検出手段とを備え，電源側の電源が供給されたときに，該負荷機器のＯＮ／ＯＦＦ検出手段が負荷機器のＯＮを検出しなければ主接点を閉にするシーケンスを備えている電源供給装置において，前記負荷機器のＯＮ／ＯＦＦ検出手段は，前記のインピーダンスの負荷側の電圧を検出し，該電圧の大きさが所定の閾値より大きい場合に負荷機器がＯＦＦであると判定するものであることを特徴として構成してもよい。
【００１１】
また，本発明にかかる電源供給装置は，主回路を開閉する主接点と，該主接点に対して並列に接続され，主接点が開のときに負荷回路に直列に挿入されるインピーダンスと，負荷機器のＯＮ／ＯＦＦ検出手段とを備え，電源側の電源が供給されたときに，該負荷機器のＯＮ／ＯＦＦ検出手段が負荷機器のＯＮを検出しなければ主接点を閉にするシーケンスを備えている電源供給装置において，前記負荷機器のＯＮ／ＯＦＦ検出手段は，前記の主接点に対して並列に接続されたインピーダンスを介して流れる電流と，該インピーダンスの負荷側の電圧を検出するものであって，検出した電流の大きさが所定の閾値より小さく，検出した電圧との位相差が９０度である場合に負荷機器がＯＦＦであると判定するものであることを特徴として構成してもよい。
【００１２】
また，本発明にかかる電源供給装置は，主回路を開閉する主接点と，該主接点に対して並列に接続され，主接点が開のときに負荷回路に直列に挿入されるインピーダンスと，負荷機器のＯＮ／ＯＦＦ検出手段とを備え，電源側の電源が供給されたときに，該負荷機器のＯＮ／ＯＦＦ検出手段が負荷機器のＯＮを検出しなければ主接点を閉にするシーケンスを備えている電源供給装置において，前記負荷機器のＯＮ／ＯＦＦ検出手段は，前記の主接点に対して並列に接続されたインピーダンスの負荷側の消費する電力値が零であるか，所定の閾値より小さい場合に負荷機器がＯＦＦであると判定するものであることを特徴として構成してもよい。
【００１３】
また，本発明にかかる電源供給装置は，前記インピーダンスは，コンデンサであることを特徴として構成してもよい。
【００１４】
また，本発明にかかる電源供給装置は，主回路を開閉する主接点と，該主接点に対して並列に接続され，主接点が開のときに負荷回路に直列に挿入されるコンデンサと，負荷機器のＯＮ／ＯＦＦ検出手段とを備え，電源側の電源が供給されたときに，該負荷機器のＯＮ／ＯＦＦ検出手段が負荷機器のＯＮを検出しなければ主接点を閉にするシーケンスを備えている電源供給装置において，前記負荷機器のＯＮ／ＯＦＦ検出手段は，前記の主接点に対して並列に接続されたコンデンサを介して流れる電流と，該コンデンサの電源側の電圧を検出するものであって，検出した電流の大きさが所定の閾値より小さく，検出した電圧との位相差が９０度である場合に負荷機器がＯＦＦであると判定するものであることを特徴として構成してもよい。
【００１５】
また，本発明にかかる電源供給装置は，主回路を開閉する主接点と，該主接点に対して並列に接続され，主接点が開のときに負荷回路に直列に挿入されるコンデンサと，負荷機器のＯＮ／ＯＦＦ検出手段とを備え，電源側の電源が供給されたときに，該負荷機器のＯＮ／ＯＦＦ検出手段が負荷機器のＯＮを検出しなければ主接点を閉にするシーケンスを備えている電源供給装置において，前記負荷機器のＯＮ／ＯＦＦ検出手段は，前記の主接点に対して並列に接続されたコンデンサの電源側の消費する電力値が零であるか，所定の閾値より小さい場合に負荷機器がＯＦＦであると判定するものであることを特徴として構成してもよい。
【００１６】
また，本発明にかかる電源供給装置は，主回路を開閉する主接点と，該主接点に対して並列に接続され，主接点が開のときに負荷回路に直列に挿入されるコンデンサと，負荷機器のＯＮ／ＯＦＦ検出手段とを備え，電源側の電源が供給されたときに，該負荷機器のＯＮ／ＯＦＦ検出手段が負荷機器のＯＮを検出しなければ主接点を閉にするシーケンスを備えている電源供給装置において，前記負荷機器のＯＮ／ＯＦＦ検出手段は，前記の主接点に対して並列に接続されたコンデンサの両端の電圧Ａと，コンデンサの負荷側の電圧Ｂと，コンデンサの電源側の電圧Ｃから，各電圧のスカラー量で電圧Ａ+電圧Ｂ＝電圧Ｃの関係が成り立つとき負荷機器がＯＦＦであると判定するものであることを特徴として構成してもよい。
【００１７】
また，本発明にかかる電源供給装置は，前記ＯＮ／ＯＦＦ検出手段とともに，負荷の電源線が接続されているかどうかの検出手段を備え，該負荷の電源線が接続されているかどうかの検出手段が接続を検出しているときに，前記負荷機器のＯＮ／ＯＦＦ検出手段が負荷機器のＯＮを検出しなければ主接点を閉にするシーケンスを備えていることを特徴として構成してもよい。
【発明の効果】
【００１８】
それにより，本件発明によれば，負荷機器の電流が電源スイッチをＯＮにしたものであるのか，ノイズ防止コンデンサによるものであるのかの判別が，
請求項１によれば，主接点と並列に接続されたインピーダンスに流れる電流の大きさで，
請求項２によれば，主接点と並列に接続されたインピーダンスの負荷側の電圧の大きさにより，
請求項３によれば，主接点と並列に接続されたインピーダンスに流れる電流の大きさとインピーダンスの負荷側の電圧と電流の位相差により，
請求項４によれば，主接点と並列に接続されたインピーダンスの負荷側の電力値の大小により，
請求項５によれば，請求項１乃至請求項４のインピーダンスがコンデンサであり電力消費がない状態で，
請求項６によれば，主接点と並列に接続されたコンデンサに流れる電流の大きさとインピーダンスの電源側の電圧と電流の位相差により，
請求項７によれば，主接点と並列に接続されたコンデンサの電源側から見た電力値の大きさにより，
請求項８によれば，主接点と並列に接続されたコンデンサの両端と負荷側と電源側の電圧の大きさにより，負荷機器のＯＮ／ＯＦＦの判別を行い，
負荷機器の電源スイッチがＯＦＦであるにも関わらずノイズ防止コンデンサに電流が流れるような機器でも，電源スイッチのＯＮ，ＯＦＦを正確に検出して，電源スイッチがＯＦＦである場合には負荷側に給電して，その後に電源スイッチをＯＮにすれば負荷機器を使用できるような電源供給装置を提供することができる。
【図面の簡単な説明】
【００１９】
【図１】本件発明の第１の実施形態の構成を示す図。
【図２】本件発明の第２の実施形態の構成を示す図。
【図３】本件発明の第３，第４の実施形態の構成を示す図。
【図４】図３の別の実施形態の構成を示す図。
【図５】本件発明の第５の実施形態の構成を示す図。
【発明を実施するための形態】
【００２０】
（第１の実施形態）
図１は，本件発明の第１の実施形態の構成を示す図である。図において１は電源側装置，２は本件発明の電源供給装置，３は負荷機器である。１０１は例えばＡＣ１００Ｖの電源，１０２，１０２’，２０１，２０１’は接続端子，２０２は主接点で駆動コイル２０３に通電されたときに閉となるａ接点，２０４は電流判定手段２０８の出力で開になるｂ接点，２０５は負荷機器接続判定手段２０９の出力により閉となるａ接点，２０６はインピーダンスで抵抗もしくはコンデンサ，２０７は電流検出手段，２０８は負荷機器ＯＮ／ＯＦＦ判定手段，２１１，２１１’は負荷機器接続判定手段２０９の検出器，２１０，２１０’，３０１，３０１’は接続端子，３０２は電源スイッチ，３０３は負荷，３０４はノイズ防止コンデンサである。
【００２１】
２０８の負荷機器のＯＮ／ＯＦＦ判定手段は，電流検出手段２０７が検出した電流が所定の閾値より大きい場合にｂ接点２０４を開にする。２１０，２１０’，３０１，３０１’の端子は具体的には差し込み接続器であり，２１０，２１０’は刃受け，３０１，３０１’はプラグの刃で，２１１，２１１’の検出器は，具体的には刃受け，２１０，２１０’に刃３０１，３０１’が挿入されて刃受け２１０，２１０’が開く等で刃受けの一部が変位したとき，変位した刃受けの一部に接触する接触子で，刃受け２１０に接触子２１１が，刃受け２１０’に接触子２１１’が接触したとき，接触子２１１，２１１’間に電圧が発生し，負荷機器接続判定手段２０９はそれを受けて，接点２０５を閉にする。
【００２２】
図１において，まず１０２と２０１，１０２’と２０１’，２１０と３０１，２１０’と３０１’の端子が接続されていて，負荷３の電源スイッチ３０２がＯＮとＯＦＦの場合について説明する。この場合，２１０と３０１，２１０’と３０１’の端子が接続されているので接触子２１１，２１１’は刃受け２１０と２１０’に接触しており接点２０５は入の状態にあり，電源スイッチ３０２のＯＮ／ＯＦＦにより，ＯＮの場合はコンデンサ３０４と負荷３０３の電流が，ＯＦＦの場合はノイズ防止コンデンサ３０４の電流だけが流れる。
【００２３】
ここで，インピーダンス２０６が抵抗である場合とコンデンサである場合について，電源スイッチ３０２のＯＮ／ＯＦＦで，インピーダンス２０６に流れる電流の大きさを説明する。本電源供給装置の対象となる負荷を電動工具とした想定し，電圧はＡＣ１００Ｖで最低の消費電力を１００Ｗ（１００ＶＡ），ノイズ防止コンデンサの容量を最大で２μＦ程度として想定する。この場合，負荷３０３のインピーダンスはほぼ純粋な抵抗に換算して１００Ω，ノイズ防止コンデンサのインピーダンスは周波数５０Ｈｚでは（１／ｊωＣ）の関係から，約１．６ｋΩであって，電源スイッチがＯＮの場合は，ほぼ抵抗性インピーダンスの１００Ω，電源スイッチがＯＦＦの場合は容量性インピーダンスの約１．６ｋΩが端子２１０，２１０’に接続される。
【００２４】
このときインピーダンス２０６が抵抗である場合は，その抵抗値を１ｋΩ程度に設定すれば，インピーダンス２０６に流れる電流は，電源スイッチ３０２がＯＮの場合，１００Ｖ／（１ｋΩ＋１００Ω）の計算により約９０ｍＡ，電源スイッチ３０２がＯＦＦの場合は，１００Ｖ／（１ｋΩ＋ｊ１．６ｋΩ）の計算により約５３ｍＡとなって，負荷機器のＯＮ／ＯＦＦ判定手段２０８の判定閾値を７０ｍＡ程度に設定すれば，該閾値より電流が大きければ電源スイッチ３０２がＯＮ，小さければ電源スイッチ３０２がＯＦＦであると判定できる。しかし，抵抗で消費する電力が９０ｍＡ×９０ｍＡ×１ｋΩの計算から約８Ｗ程度になる。負荷機器のＯＮ／ＯＦＦ判定手段の閾値判定精度によっては，インピーダンス２０６の抵抗値をより高い値に設定して閾値を下げるとともにインピーダンス２０６が消費する電力を下げることも可能である。
【００２５】
次にインピーダンス２０６がコンデンサである場合は，その容量を２μＦ程度に設定すれば，
インピーダンス２０６に流れる電流は，電源スイッチがＯＮの場合は２０６のインピーダンスの方が３０３のインピーダンスより非常に大きいから，１００Ｖ／１．６ｋΩの計算により約６０ｍＡ，電源スイッチ３０２がＯＦＦの場合は，１００Ｖ／（１．６ｋΩ＋１．６ｋΩ）の計算により約３０ｍＡとなって，負荷機器のＯＮ／ＯＦＦ判定手段２０８の判定閾値を４５ｍＡ程度に設定すれば，該閾値より電流が大きければ電源スイッチ３０２がＯＮ，小さければ電源スイッチ３０２がＯＦＦであると判定できる。しかも，抵抗の場合に比べインピーダンス２０６による消費電力がないというメリットがある。負荷機器のＯＮ／ＯＦＦ判定手段の閾値判定精度によっては，インピーダンス２０６の容量をより小さい値に設定して閾値を下げることも可能である。
【００２６】
負荷機器のＯＮ／ＯＦＦ判定手段２０８は，電源スイッチ３０２がＯＦＦの場合は，インピーダンス２０６に流れる電流は所定の閾値より小さい電流であるので負荷機器はＯＦＦであると判定し接点２０４を開かない。電源スイッチ３０２がＯＮの場合は電流が所定の閾値より大きくなるので，負荷機器はＯＮであると判定し接点２０４を開く。その結果，負荷機器がＯＦＦである場合は，接点２０４と２０５が閉であるので，駆動コイル２０３に給電されて主接点２０２が閉し，負荷機器を起動できる十分な電流を給電するが，負荷機器がＯＮである場合は，接点２０４が開となるので，駆動コイル２０３が給電されず，主接点２０２は開のままとなり負荷機器を起動できる十分な電流を給電できない。
【００２７】
負荷機器がＯＦＦであって主接点２０２が閉になった場合は，その後，電源スイッチ３０２をＯＮすれば，負荷３０３の電流は主接点２０２側を流れ，インピーダンス２０６側を流れないので，電流判定手段２０８は接点２０４を開にすることがなく，負荷機器を起動できる。負荷機器がＯＮであって主接点２０２が開の場合は，一旦負荷機器の電源スイッチ３０２をＯＦＦにすれば，インピーダンス２０６に流れる電流が電流判定手段２０８の所定の閾値より小さくなるので，接点２０４が閉に復帰し，駆動コイル２０３が駆動されて主接点２０２が閉となり，その後電源スイッチ３０２をＯＮすれば負荷機器を使用できる。
【００２８】
次に電源スイッチ３０２がＯＮのまま，端子１０２と２０１，１０２’と２０１’の接続が外れた後に接続が復旧した場合について説明する。この場合，電源１が停電した後に復電した場合も同じである。端子１０２と２０１，１０２’と２０１’の接続が外れると，接点２０４，２０５が入のままでもコイル２０３の給電が絶たれるので，主接点２０２は開となる。その後，前述の端子の接続が復旧したとき，電源スイッチ３０２はＯＮ状態であるので，駆動コイル２０３へ給電が開始されると同時にインピーダンス２０６を通じて負荷機器のＯＮ／ＯＦＦ判定手段２０８の判定閾値より大きい電流が流れ，瞬時に接点２０４が開となり，コイル２０３への給電は断たれるので，接点２０２は開状態を維持し，負荷３へはインピーダンス２０６を通じてしか電流が流れず，インピーダンス２０６により負荷３への給電電圧はドロップし負荷３は起動しない。その後，一旦電源スイッチ３０２が切になると前述のとおり主回路２０２が閉となり，その後で電源スイッチ３０２をＯＮすれば負荷機器を使用できる。ここで，駆動コイル２０３が給電されて主接点２０２が閉じるまでの時間１と，負荷機器のＯＮ／ＯＦＦ判定手段２０８が２０７の検出電流を閾値で判定して接点２０４を開くまでの時間２を比較した場合，時間１が時間２より長く設定されているものとする。
【００２９】
次に，電源スイッチ３０２がＯＮのまま，端子２１０と３０１，２１０’と３０１’の接続が一旦切れて，再度接続された場合の動作について説明する。該端子の接続が一旦切れると端子接続判定手段２０９が前述の端子の接続を検出しなくなるので接点２０５が開となり駆動コイル２０３の給電は停止され接点２０２は開路する。その後，前述の端子が再接続されると接点２０５は閉となるが，インピーダンス２０６を通じて電流判定手段２０６の判定閾値より大きい電流が流れ，接点２０４を開路するので駆動コイル２０３は給電されることがなく，主接点２０２は開いたままとなる。その後，一端電源スイッチ３０２がＯＦＦになって，その後ＯＮになった場合の動作は前述のとおりである。
【００３０】
以上のように，電流判定手段２０８により検出した電流が所定の閾値より小さいか大きいかにより負荷機器のＯＮ／ＯＦＦを判定するようにしたので，ノイズ防止コンデンサ付きの電動工具でも正確にＯＮ／ＯＦＦを判定でき，本装置の電源側の復電時や負荷側の端子の再接続時に電源がＯＮの際には負荷機器が起動できる電力を給電しない電源供給装置を提供できる。
【００３１】
（第２の実施形態）
図２は，本件発明の第２の実施形態の構成例であり，図１の第１の実施形態との違いについて説明する。図２において，負荷機器のＯＮ／ＯＦＦ判定手段２０８は，端子２１０と接触子２１１’間の電圧を検出し，端子２１０と接触子２１１’間の電圧が所定の閾値より大きい場合には負荷機器３の電源スイッチ３０２がＯＦＦであると判定するようにしており，図１の負荷機器接続検出手段２０９と接点２０５は省略してある。ここで，前述の例にならって負荷３０３の消費電力が１００Ｗ（１００Ω），ノイズ防止コンデンサの容量が２μＦ（５０Ｈｚ時のインピーダンス約１．６ｋΩ）であり，インピーダンス２０６が１ｋΩの抵抗の場合と２μＦ（５０Ｈｚ時のインピーダンス約１．６ｋΩ）のコンデンサの場合で，端子２１０と接触子２１１’間の電圧について説明する。
【００３２】
インピーダンス２０６が１ｋΩの抵抗であり，電源スイッチ３０２がＯＮである場合，ノイズ防止コンデンサ３０４と負荷３０３の並列回路のインピーダンスは，ノイズ防止コンデンサ３０４のインピーダンス（約１．６ｋΩ）が負荷３０３のインピーダンス（１００Ω）に比べて非常に大きいので，ほぼ負荷３０３のインピーダンス（１００Ω）となり，端子２１０と接触子２１１’間の電圧はＡＣ１００Ｖ×１００Ω／（１ｋΩ＋１００Ω）の計算により約９Ｖとなる。一方電源スイッチ３０２がＯＦＦである場合は，インピーダンス２０６とノイズ防止コンデンサ３０４の直列回路の合成インピーダンスは，√（１ｋΩ×1ｋΩ＋１．６ｋΩ×１．６ｋΩ）の計算から約１．９ｋΩとなって，流れる電流は約５３ｍＡとなって，端子２１０と接触子２１１’間の電圧は５３ｍＡ×１．６ｋΩ＝約８５Ｖとなるから，閾値を約５０Ｖ程度に設定すれば，電源スイッチ３０２のＯＮ／ＯＦＦを判別できる。
【００３３】
次に，インピーダンス２０６が２μＦ（５０Ｈｚでインピーダンスが約１．６ｋΩ）のコンデンサであり，電源スイッチ３０２がＯＮである場合，ノイズ防止コンデンサ３０４と負荷３０３の並列回路のインピーダンスは，ノイズ防止コンデンサ３０４のインピーダンス（約１．６ｋΩ）が負荷３０３のインピーダンス（１００Ω）に比べて非常に大きいので，ほぼ負荷３０３のインピーダンス１００Ωとなり，インピーダンス２０６とノイズ防止コンデンサ３０４の直列回路のインピーダンスは，√（１．６ｋΩ×１．６ｋΩ＋１００Ω×１００Ω）の計算から約１．６ｋΩとなって，電流は約６３ｍＡとなる。端子２１０と接触子２１１’間の電圧は６３ｍＡ×１００Ωの計算により約６Ｖとなる。一方電源スイッチ３０２がＯＦＦである場合は，インピーダンス２０６とノイズ防止コンデンサ３０４の直列回路のインピーダンスは，１．６ｋΩ＋１．６ｋΩの計算から約３．２ｋΩとなって，端子２１０と接触子２１１’間の電圧は約３１ｍＡ×１．６ｋΩ＝約５０Ｖとなるから，閾値を約３０Ｖ程度に設定すれば，電源スイッチ３０２のＯＮ／ＯＦＦを判別できる。
【００３４】
図２において，図１に示す負荷機器接続検出手段２０９と接点２０５は省略されているが，図２の装置は，負荷機器３の電源スイッチ３０２のＯＮ／ＯＦＦ状態に対する動作が次のとおり図１に示す実施形態と同一である。つまり，端子１０２と２０１，１０２’と２０１’，２１０と３０１，２１０’と３０１’が接続されていて，負荷機器３の電源スイッチがＯＮである場合，端子２１０と２１１’間の電圧は負荷機器のＯＮ／ＯＦＦ判定手段の判定閾値より大きく，負荷機器のＯＮ／ＯＦＦ判定手段２０８は接点２０４を開くよう動作するので，主接点２０２は開となる。また，電源スイッチ３０２がＯＦＦの場合，端子２１０と２１１’間の電圧は負荷機器のＯＮ／ＯＦＦ判定手段の判定閾値より大きく，接点２０４は開にならないので主接点２０２は閉となる。また，負荷機器のＯＮ／ＯＦＦ判定手段２０８が電圧を検出するには端子２１０’に端子３０１’が接続されている必要があり，接続されていない場合は電圧が零であるので，接点２０４は開となり，主接点２０２は開である。
【００３５】
図２の負荷機器のＯＮ／ＯＦＦ判定手段２０８は端子２１０，２１０’間の電圧を検出し，接触子２１１’は接点２０４に接続してもよい。図２の第２の実施形態では，インピーダンス２０６の負荷側の電圧により負荷機器３の電源スイッチのＯＮ／ＯＦＦを正確に判定できる。
【００３６】
（第３の実施形態）
図３は，本件発明の第３の実施形態の図である。図において，図１と異なる箇所は，図１における２０５，２０９，２１１，２１１’の機能が２１１’のみに置き換えられ，接点２０４が直接接触子２１１’に接続されていて，端子２１０’に端子３０１’が接続されると，接点２０４が端子２１０’に接続されること，負荷機器のＯＮ／ＯＦＦ判定手段２０８が，単純にインピーダンス２０６を流れる電流が所定の閾値より大きいか小さいかという判定以外に，電流の位相及び端子２１０，２１０’間の電圧位相も検出し，その位相差が９０度かどうかも判定し，９０度である場合は，負荷３の電源スイッチ３０２がＯＦＦであると判定するようにしている。この方法によれば，電源スイッチ３０２がＯＦＦの場合は，端子２１０，２１０’にはノイズ防止コンデンサしか接続されていないので，端子２１０，２１０’間の電圧位相とインピーダンス２０６（抵抗あるいはコンデンサ），つまりノイズ防止コンデンサ３０４を流れる電流の位相差は必ず９０度
になるので，請求項１の方法より正確に電源スイッチ３０２のＯＮ／ＯＦＦを判別できる。なお，インピーダンス２０６がコンデンサである場合は，電圧位相は端子２０１，２０１’間で検出してもよい。
【００３７】
（第４の実施形態）
また，第４の実施形態としては，図３において負荷機器のＯＮ／ＯＦＦ判定手段２０８は，インピーダンス２０６に流れる電流と，端子２１０，２１０’間の電圧から，電力を計算し，電力値が所定の閾値より小さい場合，電源スイッチ３０２はＯＦＦであると判定するようにしてもよい。この場合，計算した電力は端子２１０，２１０’間に接続された負荷の電力値であるから，電源スイッチ３０２がＯＦＦの場合はノイズ防止コンデンサだけの電力値になり，ノイズ防止コンデンサは理論的には電力消費をしないので，電源スイッチ３０２のＯＮ／ＯＦＦを判定できる。なお，インピーダンス２０６がコンデンサの場合は，電圧は２０１，２０１’間を検出して電力値を計算してもよい。
【００３８】
図４は図３の実施形態の変形例であり，負荷機器のＯＮ／ＯＦＦ検出手段２０８は端子２１０と接触子２１１’間の電圧を検出するようにして，接点２０４は端子２１０’に直接接続しており，端子２１０’と３０１’の接続検出に関係する動作は図２の実施形態と同一である。
【００３９】
（第５の実施形態）
図５は本件発明の第５の実施形態の図である。第５の実施形態では，インピーダンス２０６はコンデンサに限定している。図５において，負荷機器のＯＮ／ＯＦＦ判定手段２０８は，コンデンサ２０６の両端の電圧Ａと，接触子２１１’を介した端子２１０，２１０’間の電圧Ｂと，同じく接触子２１１’を介した端子２０１，２０１’間の電圧Ｃを検出し，スカラー値で，電圧Ａ＋電圧Ｂ＝電圧Ｃの関係が成り立つとき，負荷機器はＯＦＦであると判定するものである。電源スイッチ３０２がＯＦＦであるとき，端子２１０と２１０’間にはノイズ防止コンデンサのみが接続されるから，電圧Ａと電圧Ｂと電圧Ｃはスカラー量で電圧Ａ＋電圧Ｂ＝電圧Ｃの関係が成り立つことを利用している。
【００４０】
以上のように，本件発明によれば，負荷機器がノイズ防止コンデンサが取り付けられているような機器でも電源スイッチがＯＮかＯＦＦかを正確に判別できて，電源スイッチがＯＦＦの場合は，電源を供給してその後電源スイッチをＯＮすることで負荷機器を使用できる。無論ノイズ防止コンデンサが取り付けられていないような負荷機器の場合も同様に使用できる。
【産業上の利用可能性】
【００４１】
本装置は，装置単品として製品が構成できるほか，壁コンセントやコードリールなどに組み込んで製品化できる可能性がある。
【符号の説明】
【００４２】
１・・・電源側装置
２・・・本件発明の電源供給装置
３・・・負荷機器
１０１・・・電源
１０２，１０２’・・・端子
２０１，２０１’・・・端子
２０２・・・主接点
２０３・・・主接点の駆動コイル
２０４・・・ｂ接点
２０５・・・ａ接点
２０６・・・インピーダンス
２０７・・・電流の検出器
２０８・・・電流判定手段
２０９・・・電圧検出手段
２１０，２１０’・・・端子
２１１，２１１’・・・接触子
３０１，３０１’・・・端子
３０２・・・電源スイッチ
３０３・・・負荷
３０４・・・ノイズ防止コンデンサ
【図１】
2011019318.tif 000003
【図２】
2011019318.tif 000004
【図３】
2011019318.tif 000005
【図４】
2011019318.tif 000006
【図５】
2011019318.tif 000007